(57)【特許請求の範囲】
【請求項１】
難燃性体からなる支持体（１）に、線香（４）を支持し、かつ、前記線香（４）の灰を落下させられる貫通孔（２）を複数備え、前記貫通孔（２）は、前記支持体（１）の厚さ方向に貫通する貫通孔（２）と、前記支持体（１）の厚さ方向に対し斜めに貫通する貫通孔（２）と、からなり、前記貫通孔（２）の側面で前記線香（４）を支持し、前記線香（４）が前記貫通孔（２）内から立設することを特徴とする線香支持具。
【請求項２】
前記支持体（１）に底上げ手段（６）を備えたことを特徴とする請求項１に記載の線香支持具。
【請求項３】
前記貫通孔（２）は、その断面積が入り口側に向って広くなることを特徴とする請求項１または２に記載の線香支持具。
【請求項４】
前記貫通孔（２）の入口に、貫通孔（２）の軸方向に対して傾斜するガイド部（３）を備えることを特徴とする請求項１、２または３に記載の線香支持具。
【請求項５】
前記難燃性体は、セラミックであることを特徴とする請求項１、２、３または４に記載の線香支持具。
【請求項６】
前記難燃性体は、珪藻土であることを特徴とする請求項１、２、３または４に記載の線香支持具。
【発明の詳細な説明】
【技術分野】
【０００１】
本発明は、線香を支持するための線香支持具に関するものである。
【背景技術】
【０００２】
仏事や葬儀においては、お仏前に敬虔な心を捧げる儀式として線香が焚かれる。一般的に、線香は、香炉内に満たされた線香の灰に差され、立てた状態で焚かれている。
【０００３】
しかし、新品の香炉を使用する場合など、香炉に灰が満たされていない場合には、香炉に線香を立てることができないという問題があった。これに対応するため、香炉灰およびその代替物が市販されているものの、その価格は非常に高価であり、また、これらが手元になければ、仏事が急に行われる場合等には対応することもできなかった。
【０００４】
このような問題を解決するため、特許文献１には、香炉内に灰が無い場合であっても線香を直立状態に保持する線香立てガイドが記載されている。
しかしながら、線香を立てるガイド穴に線香の灰が溜まるので、灰が溜まる度に灰を取り除く処理を行なわなければならず、面倒である。
【先行技術文献】
【特許文献】
【０００５】
【特許文献１】特開２００７−２５２８７６号公報
【発明の概要】
【発明が解決しようとする課題】
【０００６】
そこで本発明は上記課題を解決するためになされたものであり、香炉内に灰が無い場合であっても、線香を香炉内で確実に立設させることのできる線香支持具を提供することを目的とする。
【課題を解決するための手段】
【０００７】
上記課題を解決するため、請求項１記載の発明は、難燃性体からなる支持体に、線香を支持し、かつ、線香の灰を落下させられる貫通孔を複数備え、貫通孔は、支持体の厚さ方向に貫通する貫通孔と、支持体の厚さ方向に対し斜めに貫通する貫通孔と、からなり、貫通孔の側面で線香を支持し、線香が貫通孔内から立設することを特徴とする。  ここで、支持体の貫通孔の数は特に限定されるものではなく、１以上の貫通孔を備えることができる。  これによると、本発明に係る線香支持具を香炉に設置し、貫通孔に線香を挿入すると、香炉内において線香を確実に立設させることができる。したがって、本発明では、従来、線香を立てるために必須であった灰やその代替物であるガラス玉等を必要としない。また、孔を貫通孔としたことにより、貫通孔に集まる線香の灰は貫通孔の出口より落下する。
また、線香を支持体に対して斜めに立設させることができるので、線香の長さが長い場合であっても線香の先端高さを低く抑えることができる。また、線香を立設した様子により、外観上の美観を提供することができる。
【０００８】
請求項２記載の発明は、支持体に底上げ手段を備えたことを特徴とする。
これによると、支持体の底面を底上げすることにより、香炉と当該底面の間に空間を確保できるので、線香の末端部の燃焼性が向上する。
【０００９】
請求項３記載の発明は、貫通孔の断面積が入り口側に向って広くなることを特徴とする。
これによると、様々な径の大きさの線香を貫通孔に挿入して立設させることができる。
【００１０】
請求項４記載の発明は、貫通孔の入口に、貫通孔の軸方向に対して傾斜するガイド部を備えることを特徴とする。
これによると、線香がガイド部に導かれて貫通孔に挿入されるので、線香を貫通孔に容易に挿入することができる。
【００１２】
支持体を構成する難燃性体は特に限定されるものではないが、請求項５記載の発明のように、難燃性体をセラミックスとすると、支持体が断熱材の役割を果たし、香炉の過熱を抑えることができる。
【００１３】
また、難燃性体を、請求項６記載の発明のように珪藻土とすると、その多孔性により線香の末端の燃焼がより促進される。また、珪藻土は断熱性に優れているので、香炉に対する断熱効果もより一層向上する。また、支持体を廃棄しても、天然素材であるため、環境に負荷が掛からない。なお、珪藻土は焼結するものであってもよいし、焼結しないものであってもよい。
【発明の効果】
【００１４】
請求項１記載の発明によると、灰やその代替物であるガラス玉等を用いることなく、香炉内において線香を確実に立設させることができる。また、貫通孔の出口より灰が落ちるので、線香の灰が孔に目詰まりすることがない。そのため、孔の灰を取り除くといった手間は掛からず、灰により線香の挿入が妨げられることもない。
また、線香を支持体に対して斜めに立設させることができるので、線香の長さが長い場合であっても線香の先端高さを低く抑えることができ、仮に線香が倒れるようなことがあっても、香炉の外に火種が落下せず安全に線香を焚くことができる。また、線香を立設した様子により、外観上の美観を提供することができる。
【００１５】
請求項２記載の発明によると、香炉と当該底面の間に空間を確保することができるので、線香の末端部の燃焼が促進されることとなる。
【００１６】
請求項３記載の発明によると、貫通孔をいわゆるテーパー状とすることで、様々な径の大きさの線香を立設させることができる。
【００１７】
請求項４記載の発明によると、ガイド部を備えたことにより、線香を貫通孔に挿入しやすくなる。
【００１９】
請求項５記載の発明によると、支持体をセラミックスで構成したことにより、香炉の過熱が抑えられる。
【００２０】
請求項６記載の発明によると、支持体を多孔性に富む珪藻土で構成したことにより、線香の末端部の燃焼性が非常によくなり、線香を最後まで燃焼させることができる。また、珪藻土は断熱性にも優れているので、香炉に対する断熱効果がより一層向上する。さらに、天然素材であるため、支持体を廃棄しても環境に負荷が掛からない。
【図面の簡単な説明】
【００２１】
【図１】第一の実施形態による線香支持具を示す斜視図である。
【図２】図１のＡ−Ａ断面図である。
【図３】貫通孔の形成の一例を示す斜視図である。
【図４】第一の実施形態による線香支持具の使用状況を示す断面図である。
【図５】第二の実施形態による線香支持具の図１のＡ−Ａ断面に相当する断面図である。
【図６】第二の実施形態による線香支持具の使用状況を示す断面図である。
【図７】第三の実施形態による線香支持具の図１のＡ−Ａ断面に相当する断面図である。
【図８】第三の実施形態による線香支持具の使用状況を示す断面図である。
【発明を実施するための形態】
【００２２】
以下、図面を用いて、本発明を実施するための形態について説明する。
図１および図２は、それぞれ第一の実施形態による線香支持具の平面図および断面図を示している。本実施形態における線香支持具は、支持体１と、貫通孔２と、ガイド部３とにより構成されている。
【００２３】
支持体１は、難燃性体からなり、後述する貫通孔２に線香４を安定的に立設させることができる程度の厚さとする。難燃性体は特に限定されるものではないが、陶磁器等のセラミックスとすることや珪藻土とすることもできる。特に珪藻土を用いると、その多孔性により線香４の末端部の燃焼性を向上させることができ、その優れた断熱性により香炉５の加熱を防止することができる。珪藻土は焼結するものであってもよいし、焼結しないものであってもよい。
【００２４】
貫通孔２は、支持体１の厚さ方向に、少なくとも１以上形成される。また、貫通孔２はその入り口に向ってその断面積が広くなるテーパー状に形成されている。これにより様々な径の大きさの線香４を貫通孔２に挿入して立設させることができる。貫通孔２の数は、必要に応じて好適に決定することができ、例えば図３のように形成することもできる。なお、貫通孔２は、テーパー状とせず、その断面積を一定として形成することもできる。
【００２５】
ガイド部３は、前記テーパーの傾斜より緩やかな傾斜の斜面であって、貫通孔２の入り口に形成される。これにより、線香４が斜面に沿って貫通孔２に案内されるので、貫通孔２への線香４の挿入が容易になる。
【００２６】
以上に示した本実施形態における線香支持具の使用については、図４に示すように、香炉５内の底部に線香支持具を配置し、線香４を貫通孔２に挿入して立設させ、線香４に火を灯して使用する。また、図４に示すように、径の大きさの異なる線香を立設させることができる。
【００２７】
第二の実施形態による線香支持具は、図５に示すように、貫通孔２を支持体１に対して斜めに設けることもできる。このようにすると、図６に示すように線香４を支持体１に対して斜めに立設させることができ、線香４の長さが長い場合であっても線香４の先端高さを低く抑えることが可能となるので、仮に線香４が倒れるようなことがあっても、香炉５の外に火種が落下せず安全に線香４を焚くことができる。また、線香４を立設した様子により、外観上の美観も提供することができる。
【００２８】
第三の実施形態による線香支持具は、図７および図８に示すように、第一の実施形態に対し支持体１の底面に脚部６を設けている。これによると、支持体１の底面が底上げされ、当該底面と香炉５の底部との間に空間を確保することができるので線香４の末端部の燃焼が促進される。
【００２９】
以上に、本発明に係る実施の形態について説明を行った。なお、上記の実施形態においては、支持体１および香炉５に嵌合手段などの固定手段を設けて支持体１を香炉５に固定することもできる。
【符号の説明】
【００３０】
１    支持体
２    貫通孔
３    ガイド部
４    線香
５    香炉
６    脚部（底上げ手段）
【図１】
0005855811.tif 000002
【図２】
0005855811.tif 000003
【図３】
0005855811.tif 000004
【図４】
0005855811.tif 000005
【図５】
0005855811.tif 000006
【図６】
0005855811.tif 000007
【図７】
0005855811.tif 000008
【図８】
0005855811.tif 000009